(57)【要約】【課題】操作対象の手動弁に容易にたどり着くことができる携帯情報端末、制御方法およびプログラムを提供する。【解決手段】携帯情報端末は、配管系統図と複数の手動弁の開閉状態を記憶する記憶部と、画像を表示する表示部と、配管系統図と複数の手動弁の開閉状態とを表示部に表示する状態表示制御部と、表示された配管系統図から任意の手動弁を選択する選択部と、選択された手動弁の位置情報を表示部に表示する手動弁位置表示制御部と、を備える。【選択図】図１
2020123407.tif 000002
【特許請求の範囲】
【請求項１】
配管系統図と複数の手動弁の開閉状態を記憶する記憶部と、
画像を表示する表示部と、
前記配管系統図と複数の前記手動弁の開閉状態とを前記表示部に表示する状態表示制御部と、
表示された前記配管系統図から任意の前記手動弁を選択する選択部と、
選択された前記手動弁の位置情報を前記表示部に表示する手動弁位置表示制御部と、
を備える携帯情報端末。
【請求項２】
前記手動弁位置表示制御部は、選択された前記手動弁が１または複数の管を介して接続される機器との位置関係を示して、前記手動弁の位置情報を前記表示部に表示する
請求項１に記載の携帯情報端末。
【請求項３】
選択された前記手動弁の位置は、立体地図で表示される
請求項１または２に記載の携帯情報端末。
【請求項４】
前記配管系統内の複数の前記手動弁に装着されたタグに記録された識別情報を読み取る読取部と、
選択された前記手動弁の識別情報と前記タグに記録された識別情報とを比較し、一致しているか否かを判定する判定部と、
前記判定部による判定結果を前記表示部に表示する判定結果表示制御部と、
をさらに備える請求項１から３のいずれか１項に記載の携帯情報端末。
【請求項５】
配管系統図と複数の手動弁の開閉状態を記憶する記憶部を用いて、
画像を表示するステップと、
前記配管系統図と複数の前記手動弁の開閉状態とを表示するステップと、
表示された前記配管系統図から任意の前記手動弁を選択するステップと、
選択された前記手動弁の位置情報を表示するステップと、
を含む制御方法。
【請求項６】
配管系統図と複数の手動弁の開閉状態を記憶する記憶部を用いて、
画像を表示するステップと、
前記配管系統図と複数の前記手動弁の開閉状態とを表示するステップと、
表示された前記配管系統図から任意の前記手動弁を選択するステップと、
選択された前記手動弁の位置情報を表示するステップと、
を含むコンピュータに実行させるプログラム。
【発明の詳細な説明】
【技術分野】
【０００１】
本開示は、携帯情報端末、制御方法およびプログラムに関する。
【背景技術】
【０００２】
特許文献１には、次のようなプラント機器状態管理方法が開示されている。すなわち、特許文献１に記載されているプラント機器状態管理方法では、プラント機器状態管理装置から読み出された作業指示情報が携帯端末に入力されて携帯端末に表示される。作業員は開閉状態をチェックすべき手動弁を確認する。携帯端末により、手動弁のＲＦＩＤタグから手動弁の機器ＩＤ情報を読み取る。手動弁が操作対象の手動弁であるとき、作業員がこの手動弁を所定の開閉状態にし、開閉状態を示す情報を携帯端末に入力する。手動弁の操作結果が作業指示内容と一致するとき、この操作結果を示す情報がプラント機器状態管理装置に送信される。プラント機器状態管理装置では、その操作結果を示す情報が追加された配管計装図情報の表示情報が作成され、表示される。また、特許文献１に記載されているプラント機器状態管理方法では、作業指示情報に含まれた機器番号と携帯端末で読み取った手動弁に貼り付けられたＲＦＩＤタグに記憶された機器ＩＤ情報を比較することで、手動弁が作業指示情報で指示された作業対象機器であるかが確認され、確認されたとき、表示画面に手動弁が作業対象機器である旨が表示される。
【先行技術文献】
【特許文献】
【０００３】
【特許文献１】特開２０１３−０７７１２８号公報
【発明の概要】
【発明が解決しようとする課題】
【０００４】
特許文献１に記載されているプラント機器状態管理方法では、ＲＦＩＤタグを用いて操作しようとする手動弁が正しいか否かを確認することはできる。しかしながら、例えば配管レイアウトが複雑な場合に、作業現場において作業者が操作対象の手動弁にたどり着くことが、困難である場合があるという課題があった。
【０００５】
本開示は、上記課題を解決するためになされたものであって、操作対象の手動弁に容易にたどり着くことができる携帯情報端末、制御方法およびプログラムを提供することを目的とする。
【課題を解決するための手段】
【０００６】
上記課題を解決するために、本開示に係る携帯情報端末は、配管系統図と複数の手動弁の開閉状態を記憶する記憶部と、画像を表示する表示部と、前記配管系統図と複数の前記手動弁の開閉状態とを前記表示部に表示する状態表示制御部と、表示された前記配管系統図から任意の前記手動弁を選択する選択部と、選択された前記手動弁の位置情報を前記表示部に表示する手動弁位置表示制御部と、を備える。
【０００７】
本開示に係る制御方法は、配管系統図と複数の手動弁の開閉状態を記憶する記憶部を用いて、画像を表示するステップと、前記配管系統図と複数の前記手動弁の開閉状態とを表示するステップと、表示された前記配管系統図から任意の前記手動弁を選択するステップと、選択された前記手動弁の位置情報を表示するステップと、を含む。
【０００８】
本開示に係るプログラムは、配管系統図と複数の手動弁の開閉状態を記憶する記憶部を用いて、画像を表示するステップと、前記配管系統図と複数の前記手動弁の開閉状態とを表示するステップと、表示された前記配管系統図から任意の前記手動弁を選択するステップと、選択された前記手動弁の位置情報を表示するステップと、を含む。
【発明の効果】
【０００９】
本開示の携帯情報端末、制御方法およびプログラムによれば、操作対象の手動弁に容易にたどり着くことができる。
【図面の簡単な説明】
【００１０】
【図１】本開示の実施形態に係る携帯情報端末の構成例を示すブロック図である。
【図２】図１に示す手動弁情報２１の構成例を示す模式図である。
【図３】本開示の実施形態に係る配管系統図である。
【図４】図１に示す携帯情報端末１の動作例を示すフローチャートである。
【図５】図１に示す表示部１８による表示画面の一例を示す模式図である。
【図６】図１に示す表示部１８による表示画面の一例を示す模式図である。
【図７】図１に示す表示部１８による表示画面の一例を示す模式図である。
【図８】図１に示す表示部１８による表示画面の一例を示す模式図である。
【図９】図１に示す表示部１８による表示画面の一例を示す模式図である。
【図１０】図１に示す携帯情報端末１の動作例を説明するための模式図である。
【図１１】図１に示す表示部１８による表示画面の一例を示す模式図である。
【図１２】図１に示す表示部１８による表示画面の一例を示す模式図である。
【図１３】図１に示す表示部１８による表示画面の一例を示す模式図である。
【図１４】図１に示す表示部１８による表示画面の一例を示す模式図である。
【図１５】少なくとも１つの実施形態に係るコンピュータの構成を示す概略ブロック図である。
【発明を実施するための形態】
【００１１】
（携帯情報端末の構成）
以下、本開示の実施形態に係る携帯情報端末、制御方法およびプログラムについて、図１〜図１４を参照して説明する。図１は、本開示の実施形態に係る携帯情報端末の構成例を示すブロック図である。図２は、図１に示す手動弁情報２１の構成例を示す模式図である。図３は、本開示の実施形態に係る配管系統図である。図４は、図１に示す携帯情報端末１の動作例を示すフローチャートである。図５〜図９および図１１〜図１４は、図１に示す表示部１８による表示画面の一例を示す模式図である。図１０は、図１に示す携帯情報端末１の動作例を説明するための模式図である。なお、各図において同一または対応する構成には同一の符号を用いて説明を適宜省略する。
【００１２】
図１に示す本開示の実施形態に係る携帯情報端末１は、スマートフォン、タブレット端末、ウェアラブル端末等の携帯端末であり、携帯端末が備える図示してない、コンピュータ、入出力装置、通信装置、記憶装置等のハードウェアと、コンピュータが実行するプログラム等のソフトウェアとの組み合わせから構成される機能的構成として、制御部１０、状態表示制御部１１、選択部１２、手動弁位置表示制御部１３、判定部１４、判定結果表示制御部１５、読取部１６、入力部１７、表示部１８および記憶部１９を備える。
【００１３】
制御部１０は、状態表示制御部１１〜記憶部１９の各部を制御する。入力部１７と表示部１８は、例えば、一体としてタッチパネルとして構成されていて、操作者（作業者）の入力操作を受け付けたり、画像を表示したりする。
【００１４】
記憶部１９は、手動弁情報２１、配管系統図２２および位置表示情報（位置情報）２３を記憶する。また、手動弁情報２１は、手動弁開閉状態２１１と手動弁識別情報２１２を含む。手動弁情報２１は、例えばプラント等の配管系統に設けられている複数の手動弁に関する情報である。手動弁情報２１は、例えば、図２に示すように、手動弁毎の、「弁番号」、「識別番号」、「弁名称」、「現状」、「指示」、「配管系統図番号」、「位置表示情報番号」等を、一覧として含む情報である。図２に示す例において、「弁番号」は、例えば、配管系統図上で各手動弁に対して割り当てられた番号である。「識別番号」は、例えば、プラント内で各手動弁を一意に識別する識別情報である。「弁名称」は、手動弁の名称である。「現状」は、手動弁の現在の動作状態（開、閉あるいは調節弁の開度の状態）である。「指示」は、手動弁の動作状態の変更の指示の内容である。「配管系統図番号」は当該手動弁を含む配管系統図２２の図面番号である。
【００１５】
「位置表示情報番号」は当該手動弁の位置を示す図面等の番号である。本実施形態において、位置表示情報２３は、例えば、各手動弁が１または複数の管を介して接続される機器や装置との位置関係を示す情報であり、配管図、配管組立図、立体図、コンピュータグラフィックス等を用いて構成することができる。なお、図２に示す「現状」と「指示」が図１に示す手動弁開閉状態２１１に対応する。また、図２に示す「識別番号」が図１に示す手動弁識別情報２１２に対応する。
【００１６】
図２に示す例では、番号「１」の手動弁の、「弁番号」が「ＣＡ−００１」、「識別番号」が「０２ＡＡ１０２」、「弁名称」が「ガスタービン軸受シール空気ドレンセパレータ後供給弁」、「現状」が「閉」、「指示」が「３０％開」、「配管系統図番号」が「ＳＹ−００１」、そして、「位置表示情報番号」が「ＭＡＰ−００１」である。なお、以下では、番号「１」の手動弁を、手動弁ＣＡ−００１ともいう。また、手動弁情報２１は、図２に示す項目に限定されず、例えば、作業時刻、作業者名、過去の作業履歴等の項目を含んでいてもよい。
【００１７】
配管系統図２２は、例えばプラント内の機器、架構、配管部品、その他諸設備の配置図であり、本実施形態においては例えば操作対象の手動弁と当該手動弁が接続する機器までの配管ルートを示す情報を含む図面である。図１に示す配管系統図２２は、１または複数の配管系統図を含む。図３は、配管系統図２２の一例を配管系統図１０１として示す。この場合、配管系統図１０１の番号は、図２に示す「ＳＹ−００１」である。配管系統図１０１は、手動弁ＣＡ−００１と、手動弁ＣＡ−００１が配管部品３１、３２、３３等を介して接続される機器（この例ではガスタービン３０）との位置関係を示す。この場合、配管部品３１および３３は管、配管部品３２はガスタービン軸受シール空気ドレンセパレータである。
【００１８】
図１に示す状態表示制御部１１は、配管系統図２２と複数の手動弁の開閉状態とを表示部１８に表示する。選択部１２は、作業者の入力部１７に対する入力操作に従って、表示された配管系統図２２から任意の手動弁を選択する。手動弁位置表示制御部１３は、選択部１２によって選択された手動弁の位置表示情報２３を表示部１８に表示する。判定部１４は、選択部１２によって選択された手動弁の識別情報と作業者が現場にて選択した手動弁に装着されたタグに記録された識別情報とを比較し、一致しているか否かを判定する。判定結果表示制御部１５は、判定部１４による判定結果を表示部１８に表示する。読取部１６は、配管系統内の複数の手動弁に装着されたタグに記録された識別情報を読み取る。
【００１９】
本実施形態において、手動弁に装着されたタグとは、手動弁の識別番号を示す情報を記録しているＲＦＩＤ（Ｒａｄｉｏ  Ｆｒｅｑｕｅｎｃｙ  Ｉｄｅｎｔｉｆｉｃａｔｉｏｎ）タグ、手動弁の識別番号を示す情報を表す１次元あるいは２次元バーコードや識別番号そのものが印刷された札等である。読取部１６は、ＲＦＩＤリーダの機能を有したり、カメラと画像認識処理部としての機能を有したりすることで、手動弁に装着されたタグに記録された識別情報を読み取る。
【００２０】
（携帯情報端末の動作）
次に、図４等を参照して、図１に示す携帯情報端末１の動作例について説明する。図４に示す処理は、例えば作業者が携帯情報端末１で所定のアプリケーションプログラム（以下、アプリという）を起動したときに開始される。図４に示す処理が開始されると、まず、図1に示す制御部１０が、構内あるいは公衆通信網を介して図示していない所定のサーバ等から手動弁情報２１を受信する（ステップＳ１０１）。ステップＳ１０１で受信される手動弁情報２１は、携帯情報端末１を操作する作業者が操作対象とする１または複数の手動弁に関する最新の手動弁開閉状態２１１（「現状」および「指示」）を含む。
【００２１】
次に、状態表示制御部１１は、表示部１８に手動弁情報２１（手動弁情報２１のうちの所定の項目）を表示し、選択された手動弁に係る配管系統図２２と複数の手動弁の開閉状態とを表示部１８に表示する（ステップＳ１０２）。図５は、状態表示制御部１１が表示部１８に表示した手動弁情報２１の例（表示画面Ｄ１０）を示し、図６は、状態表示制御部１１が表示部１８に表示した配管系統図２２（配管系統図１０１）と複数の手動弁ＣＡ−００１〜００８の開閉状態の例（表示画面Ｄ１１）を示す。図５に示す表示画面Ｄ１０は、図２に示す手動弁情報２１のうち「弁番号」、「識別番号」、「弁名称」、「現状」および「指示」の各項目を表す情報を含む。図５に示す例では、番号「１」と番号「２」の手動弁ＣＡ−００１および００２の「現状」と「指示」が異なり、操作が必要な手動弁である。なお、表示画面Ｄ１０では、例えば、操作が必要な手動弁のみを表示したり、操作が必要な手動弁が上位に並ぶようにソートして表示したりできるようにしてもよい。図５に示す表示画面Ｄ１０において、例えば作業者によって番号「１」の行３００のいずれかの項目が選択（タップ）されると、図６に示す表示画面Ｄ１１が表示される。
【００２２】
図６に示す表示画面Ｄ１１は、番号「１」の弁ＣＡ−００１を含む配管系統図１０１を含み、配管系統図１０１に含まれる複数の手動弁ＣＡ−００１〜ＣＡ−００８の状態（「現状」）を、色分けして示す。例えば、緑が閉状態、赤が開状態、緑と赤が調整開状態である。図６に示す例では、例えば、手動弁ＣＡ−００１が開状態、手動弁ＣＡ−００２が調整開状態である。また、「現状」と「指示」が異なる手動弁ＣＡ−００１およびＣＡ−００２には、その旨の表示１０２および１０３がなされている。作業者は、表示画面Ｄ１１上の配管系統図１０１を見ることで、操作する弁が何の系統であるか確認することができる。
【００２３】
次に、選択部１２が、作業者による入力部１７に対する操作に応じて、配管系統図１０１から手動弁を選択し、手動弁の詳細情報を表示部１８に表示する（ステップＳ１０３）。例えば、図６に示す表示画面Ｄ１１において作業者が手動弁ＣＡ−００１を選択（タップ）したとすると、図７に示す表示画面Ｄ１２が表示される。図７に示す表示画面Ｄ１２は、前の表示画面Ｄ１１に戻るためのアイコン３０１（「＜ＢＡＣＫ」）、前の表示画面Ｄ１１において選択された手動弁ＣＡ−００１の拡大図３０２、弁番号３０３、識別番号３０４、弁名称３０５、開閉状態３０６、「現状」と「指示」が異なる旨の注記３０７、「作業登録」ボタン３０８および「完了」ボタン３０９を表す情報を含む。作業者は、表示画面Ｄ１２を見ることで、操作対象の手動弁ＣＡ−００１の情報や状態を確認することができる。
【００２４】
次に、手動弁位置表示制御部１３が、選択部１２によって選択された手動弁の位置表示情報２３を表示部１８に表示する（ステップＳ１０４）。図７に示す表示画面Ｄ１２において作業者が識別番号「０２ＡＡ１０２」３０４を選択（タップ）したとすると、図８に示す表示画面Ｄ１３が表示される。図８に示す表示画面Ｄ１３は、位置表示情報２３として配管組立図３１０を含む。図８に示す配管組立図３１０は、手動弁ＣＡ−００１（手動弁３１１）と手動弁３１１と機器３１３（ガスタービンＵＮ−００１）とをつなぐ複数の配管部品３１２とを含む複数の配管部品の組み立て図（平面図）であり、「△△」で示す寸法を表す情報を含む。なお、配管組立図３１０の番号は図２に示す「ＭＡＰ−００１」である。また、図８に示す表示画面Ｄ１３は、表示画面Ｄ１３から表示画面Ｄ１２へ戻るためのボタン３１５を含む。作業者は、表示画面Ｄ１３を見ることで、操作対象の手動弁ＣＡ−００１の位置を確認し、手動弁ＣＡ−００１の位置へと移動することができる。
【００２５】
次に、読取部１６が、作業者から操作対象の手動弁に装着されたタグに記録された識別情報の読み取り指示があるまで待機する（ステップＳ１０５で「ＮＯ」からステップＳ１０５の繰り返し）。例えば、図８に示す表示画面Ｄ１３において作業者が「ＯＫ」ボタン３１５を選択（タップ）し、表示画面Ｄ１２が表示された状態で例えば作業者が弁番号「ＣＡ−００１」３０３を選択（タップ）することで、識別情報の読み取り指示がなされる。
【００２６】
識別情報の読み取り指示があると（ステップＳ１０５で「ＹＥＳ」になると）、読取部１６は、手動弁に装着されたタグに記録された識別情報を読み取る（ステップＳ１０６）。ステップＳ１０６において、読取部１６は、まず、例えば図９に示す表示画面Ｄ１４を表示部１８に表示させる。図９に示す表示画面Ｄ１４は、ポップアップ画面３２０を含む。ポップアップ画面３２０は、「手動弁に装着されたタグを読み取ってください」というメッセージ３２１と、「キャンセル」ボタン３２２と、「ＯＫ」ボタン３２３を含む。「キャンセル」ボタン３２２は、読み取りを行わずに表示画面Ｄ１２へ戻すためのボタンであり、「ＯＫ」ボタン３２３は読取部１６に読み取り動作を行わせるためのボタンである。
【００２７】
例えば図１０に示すように、作業者４００は、手動弁４０１に装着されたタグ４０２に携帯情報端末１の読取部（ＲＦＩＤリーダやカメラ）を近づけて、「ＯＫ」ボタン３２３を押すことで（あるいは「ＯＫ」ボタン３２３を押さずに読み取りが可能となった状態で自動的に）読取部１６による読み取り動作を開始させることができる。なお、手動弁４０１のタグ４０２には手動弁４０１の手動弁識別情報（識別情報）２１２が予め記録（印刷）されているものとする。
【００２８】
次に、判定部１４が、選択された手動弁の識別情報とタグに記録された識別情報とを比較し、一致しているか否かを判定する（ステップＳ１０７）。次に、判定結果表示制御部１５が、判定部１４による判定結果を表示部１８に表示する（ステップＳ１０８）。ステップＳ１０８において、判定結果表示制御部１５は、一致していた場合、例えば図１１に示す表示画面Ｄ１５を表示させ、一致していてなかった場合、例えば図１２に示す表示画面Ｄ１６を表示させる。図１１に示す表示画面Ｄ１５は、ポップアップ画面３３０を含む。ポップアップ画面３３０は、「操作対象の手動弁であることが確認されました」というメッセージ３３１と、「ＯＫ」ボタン３３２を含む。「ＯＫ」ボタン３３２は表示画面Ｄ１２へ戻すためのボタンである。図１２に示す表示画面Ｄ１６は、ポップアップ画面３４０を含む。ポップアップ画面３４０は、「操作対象の手動弁ではありません」というメッセージ３４１と、「ＯＫ」ボタン３４２を含む。「ＯＫ」ボタン３４２は表示画面Ｄ１２へ戻すためのボタンである。
【００２９】
次に、制御部１０は、判定部１４による判定結果に基づき、判定結果が一致していなかった場合（ステップＳ１０９で「ＮＯ」の場合）、ステップＳ１０３で図７の表示画面Ｄ１２が表示された状態に戻し、判定結果が一致していた場合（ステップＳ１０９で「ＹＥＳ」の場合）、図７の表示画面Ｄ１２が表示された状態に戻して作業登録指示があるまで待機する（ステップＳ１１０で「ＮＯ」の繰り返し）。作業者が手動弁を実際に操作した後、例えば、図７に示す表示画面Ｄ１２において作業者が「作業登録」ボタン３０８を選択（タップ）したとすると、作業登録の指示がなされる（ステップＳ１１０で「ＹＥＳ」）。
【００３０】
作業登録の指示があると（ステップＳ１１０で「ＹＥＳ」になると）、制御部１０が、作業登録を行う（ステップＳ１１１）。ステップＳ１１１において、制御部１０は、まず、図１３に示す表示画面Ｄ１７を表示部１８に表示させる。表示画面Ｄ１７は、ポップアップ画面３５０を含む。ポップアップ画面３５０は、手動弁の全閉（０％）から全開（１００％）とその中間の開度に対応するスライダー３５１と、「キャンセル」ボタン３５２と、「ＯＫ」ボタン３５３を含む。制御部１０は、ポップアップ画面３５０に対する作業者の操作に応じて現在の状態を登録する。作業者は、スライダー３５１を操作して手動弁の操作後の状態を設定し、「ＯＫ」ボタン３５２を選択（タップ）することで、手動弁の現在の状態を登録することができる。
【００３１】
次に、制御部１０は、記憶部１９が含む手動弁情報２１（操作対象の手動弁の「現状」の内容）を更新するとともに、更新した手動弁情報２１を図示していない所定のサーバ等へ送信する（ステップＳ１１２）。制御部１０は、ステップＳ１１２の後、図４に示す処理を終了するか、あるいは作業者の指示に応じてステップＳ１０２の処理から再度図４に示す処理を実行する。
【００３２】
（作用・効果）
以上のように本実施形態の携帯情報端末、制御方法およびプログラムによれば、作業者は、操作対象の手動弁の詳細情報や位置表示情報を携帯情報端末１で確認することができるので、操作対象の手動弁に容易にたどり着くことができる。
【００３３】
（変形例）
なお、上記説明では図８に示す配管組立図３１０を位置表示情報２３の一例として上げたが、位置表示情報２３は例えば図１４に示すような三次元設計図（立体地図）３６０、三次元コンピュータグラフィックス、実写画像等を用いて表してもよい。図１４は、図８に示す表示画面Ｄ１３に代えて用いる（あるいは切り替えられるようにして両方を用いる）場合の表示画面Ｄ１８の例を示す。表示画面Ｄ１８は、三次元設計図３６０と、「ＯＫ」ボタン３６４を含む。この場合、三次元設計図３６０の番号は「ＭＡＰ−１０１」であり、三次元設計図３６０は操作対象の手動弁３６１（ＣＡ−１０２）、手動弁３６１が接続される機器３６３（ＵＮ−１０１）、手動弁３６１と機器３６３間の配管部品３６２等を含んでいる。この場合、三次元設計図３６０は、選択された手動弁３６１が１または複数の管等の配管部品３６２を介して接続される機器３６３との位置関係を示している。
【００３４】
（その他の実施形態）
以上、本開示の実施の形態について図面を参照して詳述したが、具体的な構成はこの実施の形態に限られるものではなく、本開示の要旨を逸脱しない範囲の設計変更等も含まれる。
【００３５】
〈コンピュータ構成〉
図１５は、少なくとも１つの実施形態に係るコンピュータの構成を示す概略ブロック図である。
コンピュータ９０は、プロセッサ９１、メインメモリ９２、ストレージ９３、インタフェース９４を備える。
上述の携帯情報端末１に、コンピュータ９０が実装される。そして、上述した各処理部の動作は、プログラムの形式でストレージ９３に記憶されている。プロセッサ９１は、プログラムをストレージ９３から読み出してメインメモリ９２に展開し、当該プログラムに従って上記処理を実行する。また、プロセッサ９１は、プログラムに従って、上述した各記憶部に対応する記憶領域をメインメモリ９２に確保する。
【００３６】
プログラムは、コンピュータ９０に発揮させる機能の一部を実現するためのものであってもよい。例えば、プログラムは、ストレージに既に記憶されている他のプログラムとの組み合わせ、または他の装置に実装された他のプログラムとの組み合わせによって機能を発揮させるものであってもよい。なお、他の実施形態においては、コンピュータは、上記構成に加えて、または上記構成に代えてＰＬＤ（Programmable Logic Device）などのカスタムＬＳＩ（Large Scale Integrated Circuit）を備えてもよい。ＰＬＤの例としては、ＰＡＬ(Programmable Array Logic)、ＧＡＬ(Generic Array Logic)、ＣＰＬＤ(Complex Programmable Logic Device)、ＦＰＧＡ（Field Programmable Gate Array）が挙げられる。この場合、プロセッサによって実現される機能の一部または全部が当該集積回路によって実現されてよい。
【００３７】
ストレージ９３の例としては、ＨＤＤ（Hard Disk Drive）、ＳＳＤ（Solid State Drive）、磁気ディスク、光磁気ディスク、ＣＤ−ＲＯＭ（Compact Disc Read Only Memory）、ＤＶＤ−ＲＯＭ（Digital Versatile Disc Read Only Memory）、半導体メモリ等が挙げられる。ストレージ９３は、コンピュータ９０のバスに直接接続された内部メディアであってもよいし、インタフェース９４または通信回線を介してコンピュータ９０に接続される外部メディアであってもよい。また、このプログラムが通信回線によってコンピュータ９０に配信される場合、配信を受けたコンピュータ９０が当該プログラムをメインメモリ９２に展開し、上記処理を実行してもよい。少なくとも１つの実施形態において、ストレージ９３は、一時的でない有形の記憶媒体である。 
【００３８】
＜付記＞
実施形態に記載の携帯情報端末１は、例えば以下のように把握される。
【００３９】
（１）第１の態様に係る携帯情報端末は、配管系統図２２と複数の手動弁の開閉状態（手動弁開閉状態２１１）を記憶する記憶部１９と、画像を表示する表示部１８と、前記配管系統図と複数の前記手動弁の開閉状態とを前記表示部１８に表示する状態表示制御部１１と、表示された前記配管系統図から任意の前記手動弁を選択する選択部１２と、選択された前記手動弁の位置情報（位置表示情報２３（配管組立図３１０、三次元設計図３６０））を前記表示部１８に表示する手動弁位置表示制御部１３と、を備える。この構成（および以下に示す各態様）によれば、作業者は、操作対象の手動弁に容易にたどり着くことができる。
【００４０】
（２）第２の態様に係る携帯情報端末は、（１）の携帯情報端末であって、前記手動弁位置表示制御部１３は、選択された前記手動弁が１または複数の管を介して接続される機器との位置関係を示して、前記手動弁の位置情報を前記表示部１８に表示する。この構成によれば、手動弁の位置を他の配管部品等との位置関係に基づいて把握することができる。
【００４１】
（３）第３の態様に係る携帯情報端末は、（１）または（２）の携帯情報端末であって、選択された前記手動弁の位置は、立体地図（三次元設計図３６０）で表示される。この構成によれば、手動弁の位置をより異なる視点から把握することができる。
【００４２】
（４）第４の態様に係る携帯情報端末は、（１）〜（３）の携帯情報端末であって、前記配管系統内の複数の前記手動弁４０１に装着されたタグ４０２に記録された識別情報を読み取る読取部１６と、選択された前記手動弁４０１の識別情報と前記タグ４０２に記録された識別情報とを比較し、一致しているか否かを判定する判定部１４と、前記判定部１４による判定結果を前記表示部１８に表示する判定結果表示制御部１５とをさらに備える。この構成によれば、手動弁の誤選択を防止することができる。
【符号の説明】
【００４３】
１  携帯情報端末
１０  制御部
１１  状態表示制御部
１２  選択部
１３  手動弁位置表示制御部
１４  判定部
１５  判定結果表示制御部
１６  読取部
１７  入力部
１８  表示部
１９  記憶部
２１  手動弁情報
２２  配管系統図
２３  位置表示情報（位置情報）
２１１  手動弁開閉状態
２１２  手動弁識別情報
ＣＡ−００１〜００８、３１１、３６１、４０１  手動弁
３１２、３６２  配管部品
３１１、３６３  機器
４０２  タグ
【図１】
2020123407.tif 000003
【図２】
2020123407.tif 000004
【図３】
2020123407.tif 000005
【図４】
2020123407.tif 000006
【図５】
2020123407.tif 000007
【図６】
2020123407.tif 000008
【図７】
2020123407.tif 000009
【図８】
2020123407.tif 000010
【図９】
2020123407.tif 000011
【図１０】
2020123407.tif 000012
【図１１】
2020123407.tif 000013
【図１２】
2020123407.tif 000014
【図１３】
2020123407.tif 000015
【図１４】
2020123407.tif 000016
【図１５】
2020123407.tif 000017